(57)【特許請求の範囲】
【請求項１】
紙箱の側板に把手孔を形成するための折込み片が該把手孔の輪郭に連設されてなる紙箱の把手構造であって、
把手孔の輪郭の内部で互いに会合領域で会合する３個以上の折込み片を有し、
３個以上の互いに会合する各折込み片が把手孔の輪郭内で前記会合領域から放射状をなす如くに配置され、
１個の折込み片が把手孔の輪郭の上縁に連設される紙箱の把手構造。
【請求項２】
各折込み片の長さは、横方向では把手孔の横方向幅より短く、縦方向では把手孔の縦方向高さより短い請求項１に記載の紙箱の把手構造。
【発明の詳細な説明】
【技術分野】
【０００１】
本発明は紙箱の把手構造に関する。
【背景技術】
【０００２】
一般に、段ボール箱等の紙箱では、手指を差し入れて持ち上げ易くするように把手孔を側板に設けている。把手孔は、老若男女を問わず、誰が使用しても、手指を挿入するに必要なサイズの横長状とされる。従来の紙箱の把手構造として、特許文献１、２に記載の如く、紙箱の側板に把手孔を形成するための折込み片が該把手孔の輪郭に連設されてなるものがある。
【０００３】
特許文献１に記載の紙箱の把手構造は、把手孔の輪郭の上縁に沿う切込みと、把手孔の輪郭の上縁中央部から縦方向に垂下する切込みを設け、これらの切込みによって左右に２分された折込み片が把手孔の輪郭の左右側縁に連設されてなるものである。左右の折込み片を箱内側に押し入れて把手孔を開き、この把手孔に手指を差し入れて紙箱を持ち上げ可能にするものである。
【０００４】
特許文献２に記載の紙箱は、把手孔の輪郭の上縁に沿う外折り片と、この外折り片に連設される把手片とを有し、外折り片を把手孔の輪郭の左右側縁にミシン目により仮連結し、把手孔の輪郭に沿う把手片の周囲に切込みを設けている。把手片を箱内側に折り込み、折返し片を箱外側へ折返して把手孔を開いたとき、把手片が紙箱の側板に対して概ね直角の横向きになる。この把手孔に差し入れた手指が横向きの把手片に当たり、重い荷であっても手指が痛くない。
【０００５】
特許文献３に記載の段ボール箱の把手構造は、把手孔の輪郭の縦方向に沿って互いに対称をなす一対の切込みと、把手孔の中央部でそれらの縦方向の切込みをつなぐ直線状切込みを設けたものである。中央部の切込みを押圧し、上下２個の折込み片を折返して把手孔を開き、この把手孔に手指を差し入れて紙箱を持ち上げ可能にするものである。
【先行技術文献】
【特許文献】
【０００６】
【特許文献１】特開昭63-307044
【特許文献２】特開2001-18979
【特許文献３】実開昭53-161130
【発明の概要】
【発明が解決しようとする課題】
【０００７】
特許文献１に記載の紙箱の把手構造には以下の問題点がある。
(1)左右の折込み片を箱内側に押し入れて開いた把手孔に手指を差し入れたとき、把手孔の輪郭の上縁に設けた切込エッジが手指を痛めて持ち上げにくくする。
【０００８】
特許文献２に記載の紙箱の把手構造には以下の問題点がある。
(2)把手片及び外折り片が把手孔の輪郭の上縁の側にのみ設けられる。従って、手指が挿入される把手孔の孔高さとして一定以上の高さを確保しようとするときには、箱内側に折り込まれる把手片の長さを一定以上に定める必要がある。このため、箱内側に深く折り込まれる長い把手片の先端が紙箱に収容してある梱包品に当たり、梱包品の印刷が施されている等の外面を損傷するおそれがある。
【０００９】
特許文献３に記載の紙箱の把手構造には以下の問題点がある。
(3)把手孔の輪郭の上縁には切込エッジが設けられていないので、手指を痛めることはないものの、上下２個の折込み片を内側に押し入れて把手孔を形成する場合には、一旦把手孔に差し入れた手指を引き抜くときに、上下の折込み片が手指の上面と下面に広い面積で接触して連れ戻され、ひいては手指を引き抜き困難にするおそれがある。
【００１０】
本発明の課題は、紙箱の把手構造において、手指を痛めずに持ち上げ易くし、紙箱に収容してある梱包品の損傷を防止し、手指を把手孔に出し入れし易くすることにある。
【課題を解決するための手段】
【００１１】
請求項１の発明は、紙箱の側板に把手孔を形成するための折込み片が該把手孔の輪郭に連設されてなる紙箱の把手構造であって、把手孔の輪郭の内部で互いに会合領域で会合する３個以上の折込み片を有し、３個以上の互いに会合する各折込み片が把手孔の輪郭内で前記会合領域から放射状をなす如くに配置され、１個の折込み片が把手孔の輪郭の上縁に連設されるようにしたものである。
【発明の効果】
【００１２】
本発明によれば、紙箱の把手構造において、手指を痛めずに持ち上げ易くし、紙箱に収容してある梱包品の損傷を防止し、手指を把手孔に出し入れし易くすることができる。
【図面の簡単な説明】
【００１３】
【図１】図１は紙箱の一例を示す模式図である。
【図２】図２は実施例１の紙箱の把手構造を示す模式図である。
【図３】図３は実施例２の紙箱の把手構造を示す模式図である。
【図４】図４は実施例３の紙箱の把手構造を示す模式図である。
【図５】図５は実施例４の紙箱の把手構造を示す模式図である。
【図６】図６は実施例５の紙箱の把手構造を示す模式図である。
【図７】図７は実施例６の紙箱の把手構造を示す模式図である。
【発明を実施するための形態】
【００１４】
（実施例１）（図１、図２）
実施例１は、図１に示す如く、段ボール箱等の紙箱１の相対する両側板２の上端側中央部に、手指を差し入れ可能にする把手孔１０を形成可能にしている。把手孔１０は直線状の上縁と下縁、及び円弧状の左側縁と右側縁に囲まれ、手指を挿入するに必要なサイズの横長状とされる。
【００１５】
実施例１では、図２に示す如く、把手孔１０は３個の折込み片１１〜１３により形成されており、３個の折込み片１１〜１３が、紙箱１の側板２に形成される把手孔１０の輪郭にそれぞれ図２に一点鎖線で示すミシン目、罫線等からなる折目１１Ａ〜１３Ａを介して連設されるとともに、把手孔１０の輪郭及びその内部に図２の実線で示す如くに設けた切込みを介して互いに分離形成されている。折込み片１１は把手孔１０の輪郭の上縁に設けた折目１１Ａを一辺とする三角形状をなし、折込み片１２、１３は把手孔１０の輪郭の下縁の左右に設けた折目１２Ａ、１３Ａを各一辺とする概ね台形状をなす。
【００１６】
このとき、３個の折込み片１１〜１３は、把手孔１０の輪郭の内部で互いに会合する。このことは、全折込み片１１〜１３の会合領域Ｐ1が、把手孔１０の輪郭上になく、把手孔１０の輪郭から離れたその内部にあることを意味し、各折込み片１１〜１３が把手孔１０の輪郭内で会合領域Ｐ1から放射状をなす如くに配置される。
【００１７】
また、１個の折込み片１１は、把手孔１０の輪郭の上縁に折目１１Ａを介して連設される。
【００１８】
紙箱１の持ち上げ時には、図２（Ｂ）に示す如く、各折込み片１１〜１３を箱内側に押し入れて把手孔１０を開く（又は、図２（Ｃ）に示す如く、折込み片１１を箱内側に押し入れ、他の折込み片１２、１３を箱外側に引き出しても良い）。そして、この把手孔１０に手指を差し入れて紙箱１を持ち上げる。
【００１９】
従って、実施例１によれば以下の作用効果を奏する。
(a)１個の折込み片１１が把手孔１０の輪郭の上縁に連設される。各折込み片１１〜１３を箱内側に押し入れて（又は箱外側に引出し）開いた把手孔１０に手指を差し入れたとき、手指は把手孔１０の上縁で折り込まれた折込み片１１の折目１１Ａまわりに接する。手指を痛めずに紙箱１を持ち上げ易くするものになる。
【００２０】
(b)把手孔１０の輪郭の内部で互いに会合する３個の折込み片１１〜１３を有する。各折込み片１１〜１３の先端が把手孔１０の輪郭の内部に位置するものになる。従って、各折込み片１１〜１３の長さは、横方向では把手孔１０の横方向幅より短く、縦方向では把手孔１０の縦方向高さより短くなる。このため、図２（Ｄ）に示す如く、箱内側に折り込まれた各折込み片１１〜１３の先端が箱内側に深く及ぶことを回避し、各折込み片１１〜１３の先端が箱内に収容してある梱包品３に当たることがない。梱包品３の印刷が施されている等の外面を損傷するおそれがない。
【００２１】
(c)把手孔１０に必要なサイズを確保しながら、把手孔１０の輪郭に連設される折込み片１１〜１３が３個以上、本実施例では３個の小片に分割されたから、上下２個の折込み片だけからなるものに比して、手指を把手孔１０に差し入れし易くなる。特に、上下２個の折込み片を内側に折り込んだ場合、一旦把手孔１０に差し入れた手指を引き抜くときに、それらの折込み片１１〜１３が手指の上面及び下面とともに連れ戻されることがなく、手指を容易に引き抜きできる。
【００２２】
（実施例２）（図３）
実施例２の紙箱１が実施例１におけると異なる点は、折込み片２１〜２３の折目位置である。把手孔１０に代わる把手孔２０を形成するための３個の折込み片２１〜２３が、把手孔２０の輪郭にそれぞれ図３に一点鎖線で示すミシン目、罫線等からなる折目２１Ａ〜２３Ａを介して連設されるとともに、把手孔２０の輪郭及びその内部に図３の実線で示す如くに設けた切込みを介して互いに分離形成されている。折込み片２１は把手孔２０の輪郭の上縁に設けた折目２１Ａを一辺とする三角形状をなし、折込み片２２は把手孔２０の輪郭の下縁と左側縁の交差コーナー部に設けた折目２２Ａを一辺とする概ね台形状をなし、折込み片２３は把手孔２０の輪郭の下縁と右側縁の交差コーナー部に設けた折目２３Ａを一辺とする概ね台形状をなす。
【００２３】
このとき、３個の折込み片２１〜２３は、把手孔２０の輪郭の内部で互いに会合する。このことは、全折込み片２１〜２３の会合領域Ｐ2が、把手孔２０の輪郭上になく、把手孔２０の輪郭から離れたその内部にあることを意味し、各折込み片２１〜２３が把手孔２０の輪郭内で会合領域Ｐ2から放射状をなす如くに配置される。
【００２４】
また、１個の折込み片２１は、把手孔２０の輪郭の上縁に折目２１Ａを介して連設される。
【００２５】
紙箱１の持ち上げ時には、図３（Ｂ）に示す如く、各折込み片２１〜２３を箱内側に押し入れて把手孔２０を開く（又は、折込み片２１を箱内側に押し入れ、他の折込み片２２、２３を箱外側に引き出しても良い）。そして、この把手孔２０に手指を差し入れて紙箱１を持ち上げる。
【００２６】
実施例２にあっても、実施例１におけると同様の作用効果を奏する。
【００２７】
（実施例３）（図４）
実施例３の紙箱１が実施例１におけると異なる点は、横長状の把手孔３０を形成するための折込み片３１〜３４を上下左右の４個としたことである。把手孔１０に代わる把手孔３０を形成するための４個の折込み片３１〜３４が、把手孔３０の輪郭にそれぞれ図４に一点鎖線で示すミシン目、罫線等からなる折目３１Ａ〜３４Ａを介して連設されるとともに、把手孔３０の輪郭及びその内部に図４の実線で示す如くに設けた切込みを介して互いに分離形成されている。折込み片３１は把手孔３０の輪郭の上縁に設けた折目３１Ａを一辺とする三角形状をなし、折込み片３２は把手孔３０の輪郭の下縁に設けた折目３２Ａを一辺とする三角形状をなし、折込み片３３は把手孔３０の輪郭の左側縁に設けた折目３３Ａを一辺とする三角形状をなし、折込み片３４は把手孔３０の輪郭の右側縁に設けた折目３４Ａを一辺とする三角形状をなす。
【００２８】
このとき、４個の折込み片３１〜３４は、把手孔３０の輪郭の内部で互いに会合する。このことは、全折込み片３１〜３４の会合領域Ｐ3が、把手孔３０の輪郭上になく、把手孔３０の輪郭から離れたその内部にあることを意味し、各折込み片３１〜３４が把手孔３０の輪郭内で会合領域Ｐ3から放射状をなす如くに配置される。
【００２９】
また、１個の折込み片３１は、把手孔３０の輪郭の上縁に折目３１Ａを介して連設される。
【００３０】
紙箱１の持ち上げ時には、図４（Ｂ）に示す如く、各折込み片３１〜３４を箱内側に押し入れて把手孔３０を開く（又は、折込み片３１を箱内側に押し入れ、他の折込み片３２〜３４を箱外側に引き出しても良い）。そして、この把手孔３０に手指を差し入れて紙箱１を持ち上げる。
【００３１】
実施例３にあっても、実施例１におけると同様の作用効果を奏する。
【００３２】
（実施例４）（図５）
実施例４の紙箱１が実施例１におけると異なる点は、把手孔１０に代わる把手孔４０を形成するための４個の折込み片４１〜４４が、把手孔４０の輪郭にそれぞれ図５に一点鎖線で示すミシン目、罫線等からなる折目４１Ａ〜４４Ａを介して連設されるとともに、把手孔４０の輪郭及びその内部に図５の実線で示す如くに設けた切込みを介して互いに分離形成されている。実施例３と同様に４個の折込み片４１〜４４を有するが、折込み片４１〜４４の折目位置および折込み方向が異なる。折込み片４１は把手孔４０の輪郭の上縁に設けた折目４１Ａを一辺とする三角形状をなし、折込み片４２は把手孔４０の輪郭の下縁に設けた折目４２Ａを一辺とする三角形状をなし、折込み片４３は把手孔４０の輪郭の下縁と左側縁の交差コーナー部に設けた折目４３Ａを一辺とする三角形状をなし、折込み片４４は把手孔４０の輪郭の下縁と右側縁の交差コーナー部に設けた折目４４Ａを一辺とする三角形状をなす。
【００３３】
このとき、４個の折込み片４１〜４４は、把手孔４０の輪郭の内部で互いに会合する。このことは、全折込み片４１〜４４の会合領域Ｐ4が、把手孔４０の輪郭上になく、把手孔４０の輪郭から離れたその内部にあることを意味し、各折込み片４１〜４４が把手孔４０の輪郭内で会合領域Ｐ4から放射状をなす如くに配置される。
【００３４】
また、１個の折込み片４１は、把手孔４０の輪郭の上縁に折目４１Ａを介して連設される。
【００３５】
紙箱１の持ち上げ時には、図５（Ｂ）に示す如く、各折込み片４１〜４４を箱内側に押し入れて把手孔４０を開く（又は、折込み片４１を箱内側に押し入れ、他の折込み片４２〜４４を箱外側に引き出しても良い）。そして、この把手孔４０に手指を差し入れて紙箱１を持ち上げる。
【００３６】
実施例４にあっても、実施例１におけると同様の作用効果を奏する。
【００３７】
（実施例５）（図６）
実施例５の紙箱１が実施例１におけると異なる点は、把手孔１０に代わる把手孔５０を形成するための４個の折込み片５１〜５４が、把手孔５０の輪郭にそれぞれ図６に一点鎖線で示すミシン目、罫線等からなる折目５１Ａ〜５４Ａを介して連設されるとともに、把手孔５０の輪郭及びその内部に図６の実線で示す如くに設けた切込みを介して互いに分離形成されている。折込み片５１は把手孔５０の輪郭の上縁に設けた折目５１Ａを一辺とする三角形状をなし、折込み片５２は把手孔５０の輪郭の下縁に設けた折目５２Ａを一辺とする三角形状をなし、折込み片５３は把手孔５０の輪郭の下縁と左側縁の交差コーナー部に設けた折目５３Ａを一辺とする概ね台形状をなし、折込み片５４は把手孔５０の輪郭の下縁と右側縁の交差コーナー部に設けた折目５４Ａを一辺とする概ね台形状をなす。実施例３や実施例４と同様に４個の折込み片５１〜５４を有するが、４個の折込み片５１〜５４の会合状態が中心から放射状でなく、会合領域Ｐ5内に上下の折目５１Ａ、５２Ａに対して垂直をなす切込み５５を有するものである。
【００３８】
即ち、４個の折込み片５１〜５４は、把手孔５０の輪郭の内部で互いに会合する。そして、全折込み片５１〜５４の会合領域Ｐ5が、把手孔５０の輪郭上になく、把手孔５０の輪郭から離れたその内部にあることを意味し、各折込み片５１〜５４が把手孔５０の輪郭内で会合領域Ｐ5の切込み５５から放射状をなす如くに配置される。
【００３９】
また、１個の折込み片５１は、把手孔５０の輪郭の上縁に折目５１Ａを介して連設される。
【００４０】
紙箱１の持ち上げ時には、図６（Ｂ）に示す如く、各折込み片５１〜５４を箱内側に押し入れて把手孔５０を開く（又は、折込み片５１を箱内側に押し入れ、他の折込み片５２〜５４を箱外側に引き出しても良い）。そして、この把手孔５０に手指を差し入れて紙箱１を持ち上げる。
【００４１】
実施例５にあっても、実施例１におけると同様の作用効果を奏する。
【００４２】
（実施例６）（図７）
実施例６の紙箱１が実施例１におけると異なる点は、横長状の把手孔６０を形成するための折込み片６１〜６５を上下左右の５個としたことである。把手孔１０に代わる把手孔６０を形成するための５個の折込み片６１〜６５が、把手孔６０の輪郭にそれぞれ図７に一点鎖線で示すミシン目、罫線等からなる折目６１Ａ〜６５Ａを介して連設されるとともに、把手孔６０の輪郭及びその内部に図７の実線で示す如くに設けた切込みを介して互いに分離形成されている。折込み片６１、６２は把手孔６０の輪郭の上縁の左右に設けた折目６１Ａ、６２Ａを各一辺とする概ね台形状をなし、折込み片６３は把手孔６０の輪郭の下縁に設けた折目６３Ａを一辺とする三角形状をなし、折込み片６４は把手孔６０の輪郭の下縁と左側縁の交差コーナー部に設けた折目６４Ａを一辺とする概ね三角形状をなし、折込み片６５は把手孔６０の輪郭の下縁と右側縁の交差コーナー部に設けた折目６５Ａを一辺とする概ね三角形状をなす。
【００４３】
このとき、５個の折込み片６１〜６５は、把手孔６０の輪郭の内部で互いに会合する。このことは、全折込み片６１〜６５の会合領域Ｐ6が、把手孔６０の輪郭上になく、把手孔６０の輪郭から離れたその内部にあることを意味し、各折込み片６１〜６５が把手孔６０の輪郭内で会合領域Ｐ6から放射状をなす如くに配置される。
【００４４】
また、１個の折込み片６１は、把手孔６０の輪郭の上縁に折目６１Ａを介して連設される。
【００４５】
紙箱１の持ち上げ時には、図７（Ｂ）に示す如く、各折込み片６１〜６５を箱内側に押し入れて把手孔６０を開く（又は、折込み片６１を箱内側に押し入れ、他の折込み片６２〜６５を箱外側に引き出しても良い）。そして、この把手孔６０に手指を差し入れて紙箱１を持ち上げる。
【００４６】
実施例６にあっても、実施例１におけると同様の作用効果を奏する。
【産業上の利用可能性】
【００４７】
本発明によれば、紙箱の把手構造において、手指を痛めずに持ち上げ易くし、紙箱に収容してある梱包品の損傷を防止し、手指を把手孔に出し入れし易くすることができる。
【符号の説明】
【００４８】
１  紙箱
２  側板
１０  把手孔
１１〜１３  折込み片
１１Ａ〜１３Ａ  折目
Ｐ1  会合領域
２０  把手孔
２１〜２３  折込み片
２１Ａ〜２３Ａ  折目
Ｐ2  会合領域
３０  把手孔
３１〜３４  折込み片
３１Ａ〜３４Ａ  折目
Ｐ3  会合領域
４０  把手孔
４１〜４４  折込み片
４１Ａ〜４４Ａ  折目
Ｐ4  会合領域
５０  把手孔
５１〜５４  折込み片
５１Ａ〜５４Ａ  折目
Ｐ5  会合領域
６０  把手孔
６１〜６５  折込み片
６１Ａ〜６５Ａ  折目
Ｐ6  会合領域
【図１】
0005559560.tif 000002
【図２】
0005559560.tif 000003
【図３】
0005559560.tif 000004
【図４】
0005559560.tif 000005
【図５】
0005559560.tif 000006
【図６】
0005559560.tif 000007
【図７】
0005559560.tif 000008